(57)【特許請求の範囲】
【請求項１】
注射ペンの回転推進装置における螺旋内管と、押し棒と、推進棒体との間に設置され、該推進棒体が、前記螺旋内管における介在壁の中管穴を通って螺合リングのネジ穴に螺合されると共に、該押し棒の本体が推進棒体の棒穴に挿し込まれる注射ペンのロック構造であって、
前記螺旋内管の介在壁の後側面における中管穴の周囲に設けられる、小径環状部と、
前記押し棒の本体の前段に形成される、少なくとも１つの係合凹部と、
前記推進棒体の後段における注射量制御段の近傍に設けられ、該推進棒体の弾性フックの周囲に貫通溝が形成され、該貫通溝が推進棒体の外周面から径方向に棒穴と連通し、前記螺旋内管の小径環状部により押圧されて径方向に湾曲して棒穴に押込まれると共に、係合凹部に係合されてロック状態となる、少なくとも１つの弾性フックと、を有することを特徴とする注射ペンのロック構造。
【請求項２】
前記押し棒の本体の前段に、２つの径方向に相対する係合凹部が形成され、
前記推進棒体に２つの径方向に相対する弾性フックが設けられ、該２つの弾性フックがそれぞれ、押し棒の２つの係合凹部の移動経路に対応することを特徴とする請求項１に記載の注射ペンのロック構造。
【発明の詳細な説明】
【技術分野】
【０００１】
本発明は、特に薬剤を使い切ると、自動的にロックして再利用できなくなる注射ペンのロック構造に関するものである。
【背景技術】
【０００２】
既存の注射ペンは、使用上の安全性を考慮し、使用限度内での再利用が可能であるが、近年、注射量が設定可能な注射器や、注射回数の計算が可能な注射器が開発された。そのうち、注射量の設定が可能な注射器は、薬剤瓶を装着し押しボタンを押すと、注射筒の内部の駆動構造を介して薬剤瓶の内部のピストンが一定距離押されて、必要量の薬剤を注射針から送り出すことができる。
【０００３】
上述した注射量が設定可能な注射器は、薬剤を必要量に調整することができるが、薬剤注入のための押しボタンを押す動作がしにくいという問題があった。この問題を解決するために、既存の、注射量が設定可能な注射器に、大きな螺旋ピッチ及び小さな螺旋ピッチからなる構造を備え、大きな螺旋ピッチがある構造の回転移動により生じた回転推進力を、小さな螺旋ピッチがある構造の回転移動により移転推進力に変換して薬剤を送り出すと共に、使用者が押しボタンを押した直線方向の力を回転力に変換できるため、省力化に優れた構造である。
【先行技術文献】
【特許文献】
【０００４】
【特許文献１】中国の実用新案公告第ＣＮ２０１６３１８１４Ｕ号
【特許文献２】国際公開ＷＯ２００５／０１８７２１  Ａ１号
【発明の概要】
【発明が解決しようとする課題】
【０００５】
しかしながら、上述した注射器は、一定の注射量に制御できることから、省力化の効果を有するが、その薬剤を使い切った後、注射ペンの推進構造は依然として操作できる状態であり、ロックされていなく、再利用される虞があるという問題があった。故に、従来の注射器は、安全性に優れないので、改良する必要があった。
【課題を解決するための手段】
【０００６】
本発明は、注射ペンの回転推進装置における螺旋内管と、押し棒と、推進棒体との間に設置され、該推進棒体が、推進ネジ山を備える注射量制御段を介して介在壁の中管穴に取り付けられると共に、該押し棒の本体が推進棒体の棒穴挿し込まれる注射ペンのロック構造であって、
前記螺旋内管の介在壁の後側面における中管穴の周囲に設けられる、小径環状部と、
前記押し棒の本体の前段に形成される、少なくとも１つの係合凹部と、
前記推進棒体の後段における注射量制御段の近傍に設けられ、該推進棒体の弾性フックの周囲に貫通溝が形成され、該貫通溝が推進棒体の外周面から径方向に棒穴と連通し、前記螺旋内管の小径環状部により押圧されて径方向に湾曲して棒穴に押込まれると共に、係合凹部に係合されてロック状態となる、少なくとも１つの弾性フックと、を有するものである。
【０００７】
かかる注射ペンのロック構造において、
前記押し棒の本体の前段に、２つの径方向に相対する係合凹部が形成され、
前記推進棒体に２つの径方向に相対する弾性フックが設けられ、該２つの弾性フックがそれぞれ、押し棒の２つの係合凹部の移動経路に対応することが好ましい。
【発明の効果】
【０００８】
本発明に係る注射ペンのロック構造によれば、薬剤瓶の薬剤を使い切った時、注射ペンの推進棒体は、弾性フックを螺旋内管の小径環状部により押圧されて径方向に湾曲して推進棒体の棒穴の内部に押込められ、弾性フックが押し棒の係合凹部に係合されることから、注射操作部材をロックして後方へ引くことができなくなり、注射ペンの再利用を防ぐので、注射ペンの使用上の安全性が向上する。
【０００９】
さらに、押し棒の本体の前段に、２つの径方向に相対する係合凹部が形成されると共に、推進棒体に、２つの径方向に相対する弾性フックが設けられ、該２つの弾性フックがそれぞれ、押し棒の２つの係合凹部の移動経路に対応することから、ロック効果に優れる。
【図面の簡単な説明】
【００１０】
【図１】本発明に係る注射ペンの分解斜視図である。
【図２】本発明に係る注射ペンのロック構造を図１の注射ペンの回転推進装置に取り付けた状態を示す分解斜視図である。
【図３】図１及び図２に示した注射ペンに薬剤瓶を取り付けた状態を示す断面図である。
【図４】図３の部分拡大図である。
【図５】図３の他の部分拡大図である。
【図６】図３及び図４の６-６線の端面視断面図である。
【図７】図３及び図５の７-７線の端面視断面図である。
【図８】図２に示した回転推進装置における螺旋外管、螺旋推進管、蓋部材を組み立てた状態を示す部分斜視図である。
【図９】図２に示した回転推進装置における螺旋外管、螺旋推進管、蓋部材を組み立てた状態を示す部分斜視図である。
【図１０】本発明に係る注射ペンのロック構造を、図２に示した回転推進装置１における螺旋内管と、推進棒体と、押し棒に取り付けた状態を示す分解斜視図である。
【図１１】本発明に係る注射ペンのロック構造を、図１及び図２に示した注射ペンに取り付けた状態を示す部分断面図である。
【図１２】本発明に係る注射ペンの実施例において、薬剤瓶を装着して注射針及びペンケースを取り付けて、注射操作部材を後方へ引いた状態を示す操作説明図である。
【図１３】本発明に係る注射ペンの実施例において、注射操作部材を前方へ押圧した状態を示す第一操作説明図である。
【図１４】本発明に係る注射ペンの実施例において、注射操作部材を前方へ押圧した状態を示す第二操作説明図である。
【図１５】本発明に係る注射ペンの実施例において、薬剤瓶の薬剤を使い切った状態を示す説明図である。
【図１６】本発明に係る注射ペンの実施例において、薬剤瓶の薬剤を使い切って注射操作部材をロックした状態を示す説明図である。
【発明を実施するための形態】
【００１１】
本発明に係る注射ペンのロック構造は、回転推進装置１に設置されるものであり、図１は、回転推進装置１を介して薬剤瓶３と、注射針４と、針キャップ５とを組み立て方を示す分解斜視図であり、図２に示すように、回転推進装置１の構成では、組立部材１０と、螺旋外管２０と、螺旋内管３０と、螺旋推進管４０と、螺合リング５０と、推進棒体６０と、逆回転防止リング７０と、注射操作部材８０を有し、さらに、ペンケース６及びペンキャップ７を備えてもよい。
【００１２】
図２及び図３に示すように、前記組立部材１０の内部に、案内穴１１及びワンウェイ環状歯部１２を備え、該案内穴１１は、少なくとも１つの位置決め平面を備える非円形穴であり、例えば、多辺形穴や、径方向に相対する位置決め平面を備える穴である。前記螺旋外管２０は、組立部材１０の後端に取り付けられ、該螺旋外管２０の後段に、螺旋状溝２３及び長溝２５からなる循環レールが構成され、該螺旋外管２０の後方に軸方向逆移動防止弾性片２６が設けられる。前記螺旋内管３０は、螺旋外管２０の前段内部に取り付けられ、その先端部が螺旋外管２０の前端から突出して組立部材１０の内部に挿設され、該螺旋内管３０の内部に、中管穴３３１を備える介在壁３３が形成され、該介在壁３３の外側にガイド溝３４が形成され、該螺旋内管３０の先端の外周面に逆転防止弾性片３５が設けられる。
【００１３】
図６に示すように、前記逆転防止弾性片３５が組立部材１０のワンウェイ環状歯部１２に当接されるため、螺旋内管３０は一方向にしか回転しない。前記螺旋推進管４０は、螺旋内管３０と螺旋外管２０との間に移動可能に挿設され、該螺旋推進管４０における前段外周面に、螺旋内管３０のガイド溝３４に螺合されるガイド凸部４２が設けられ、該螺旋推進管４０の中間段外周面に案内突起４３が設けられる。
【００１４】
図２及び図８に示すように、前記螺旋推進管４０における後段外周面に軸方向の溝部４４が形成されると共に、後段外周面に軸方向に沿って等間隔で配列する逆行移動防止環状溝４５が形成され、該案内突起４３及び溝部４４は、螺旋推進管４０の径方向の相対する両側に位置し、該螺旋推進管４０の後段内部に逆転防止環状歯部４６が設けられ、該螺旋推進管４０の後段は螺旋外管２０の後端から突出する。図８及び図９に示すように、前記案内突起４３は、螺旋外管２０の螺旋状溝２３と長溝２５からなる循環レールに移動することにより位置変更することができると共に、螺旋状溝２３に沿って螺旋状に推進したり、長溝２５に沿って直線的に後退したりすることができ、該螺旋外管２０の後端の軸方向逆移動防止弾性片２６は、溝部４４と逆行移動防止環状溝４５との間で位置変更を行うことができる。
【００１５】
図２乃至図５に示すように、回転推進装置１において、その螺合リング５０は、螺旋内管３０の前端内部に固定される。前記推進棒体６０は、螺旋推進管４０に貫設され、棒体６１及び、該棒体６１の前端に設けられた端部材６５を備え、該棒体６１の断面が組立部材１０の非円形の案内穴１１と対応する形状を呈し、該棒体６１を軸方向に貫通する棒穴６２が形成され、該棒体６１の前段に注射量制御段６３が形成され、該注射量制御段６３の外周面に推進ネジ山６３１が形成され、該推進ネジ山６３１の螺旋ピッチが螺旋内管３０のガイド溝３４の螺旋ピッチよりも小さく、該棒体６１の前端に掛け穴６１３が形成され、該棒体６１の前端の端部材６５が掛け穴６１３に係合され、該推進ネジ山６３１を備える注射量制御段６３は、組立部材１０の非円形の案内穴１１と対応するように、螺旋内管３０における介在壁３３の中管穴３３１を通って螺合リング５０のネジ穴５１に螺合され、これにより、該推進棒体６０を直線移動可能にする。前記逆回転防止リング７０は、推進棒体６０の後方に位置すると共に、螺旋推進管４０に組み合わされ、該逆回転防止リング７０の環状部７１の外周面に逆回転防止弾性片７２が設けられる。
【００１６】
図７に示すように、前記逆回転防止弾性片７２は、螺旋推進管４０の逆転防止環状歯部４６に当接される。前記注射操作部材８０は、押し棒８１及び、該押し棒８１の後端に活動可能に取り付ける蓋部材８２を備え、該押し棒８１は、非円形の断面を有する本体８１１を介して螺旋外管２０の後端及び螺旋推進管４０の後端に挿入して逆回転防止リング７０の内部から推進棒体６０の棒穴６２に挿し込まれる。また、前記逆回転防止リング７０は、押し棒８１の本体８１１に固定され、推進棒体６０の棒穴６２の形状が、押し棒８１の本体８１１の形状に対応する非円形の断面を有することにより、押し棒８１を直線移動に制限する。更に、前記押し棒８１の後端と螺旋推進管４０後端は、螺旋外管２０から突出して蓋部材８２の蓋基部８２１に組み合わされ、該外蓋部８２２は、蓋基部８２１の後端をカバーするように組み合わされ、これによれば、前記螺旋推進管４０を蓋部材８２に対して回転させることが出来る。
【００１７】
図１乃至図３に示すように、薬剤瓶ケース２により薬剤瓶３を回転推進装置１に固定する。前記推進棒体６０は、前端の端部材６５を介して薬剤瓶３の内部のピストン３Ａを押圧し、該薬剤瓶ケース２の前端に注射針４を装着し、この時、注射針４は、薬剤瓶ケース２の前端を通って薬剤瓶３に伸び、前記ペンケース６は、組立部材１０の後端に取り付けるように螺旋外管２０の周囲に環装され、螺旋推進管４０の後端と押し棒８１の後端は、ペンケース６の後端から突出して蓋部材８２に取り付けられ、前記ペンキャップ７は、着脱可能に薬剤瓶ケース２に環装される。
【００１８】
図１０及び図１１に示すように、本発明に係る注射ペンのロック構造は、小径環状部３６と、少なくとも１つの係合凹部８１４と、少なくとも１つの弾性フック６１２を備え、そのうち、小径環状部３６は、螺旋内管３０の介在壁３３の後側面における中管穴３３１の周囲に設けられ、該係合凹部８１４は、押し棒８１の本体８１１の前段に形成される。尚、本実施例においては、押し棒８１の本体８１１の前段に、２つの径方向に相対する係合凹部８１４が形成されることが好ましい。
【００１９】
前記弾性フック６１２は、推進棒体６０の後段における注射量制御段６３の近傍に設けられ、該推進棒体６０の弾性フック６１２の周囲に貫通溝６１１が形成され、該貫通溝６１１が推進棒体６０の外周面から径方向に棒穴６２と連通し、該貫通溝６１１にある弾性フック６１２は、螺旋内管３０の小径環状部３６により押圧されて径方向に湾曲して棒穴６２に押込まれると共に、係合凹部８１４に係合されてロック状態となる。尚、本実施例においては、推進棒体６０に、２つの径方向に相対する弾性フック６１２が設けられ、該２つの弾性フック６１２がそれぞれ、押し棒８１の２つの係合凹部８１４の移動経路に対応する。
【００２０】
図３に示すように、本発明に係る注射ペンのロック構造を使用する時は、薬剤瓶３を組立部材１０の前端に設置し、推進棒体６０を、前端の端部材６５を介して薬剤瓶３の後端の内部のピストン３Ａに当接させ、薬剤瓶ケース２を薬剤瓶３の周囲に環装させ、該薬剤瓶ケース２の後端に固定リング２Ｃを設置し、該固定リング２Ｃにより、該薬剤瓶ケース２と組立部材１０とを確実に組み合わせる。尚、この注射ペンに針頭を装着していない場合、ペンキャップ７が薬剤瓶ケース２をカバーするように環装されることが出来る。
【００２１】
図３及び図１２に示すように、注射前の準備においては、まず、ペンキャップ７を取り外してから注射針４を薬剤瓶ケース２の前端に取り付けると共に、薬剤瓶３に刺し込む。この時、針キャップ５は、注射針４をカバーするように注射針４の周囲に取り付けられることが好ましく、それにより、不注意で使用者に注射針４が刺さることを防止する。
【００２２】
図１３及び図１４に示すように、注射時の準備においては、回転推進装置１の注射操作部材８０を軸方向に沿って注射準備位置まで直線的に後方へ引く。この時、螺旋推進管４０が後方へ移動しながら螺旋外管２０と螺旋内管３０との内部にアイドリングを行い、更に、押し棒８１の逆回転防止リング７０の逆回転防止弾性片７２を螺旋推進管４０の逆転防止環状歯部４６に当接させると共に、螺旋内管３０の前端部３２の逆転防止弾性片３５を組立部材１０のワンウェイ環状歯部１２に当接させることにより、押し棒８１及び螺旋推進管４０の回転方向を制限して、螺旋推進管４０を一方向しか回転できなくする。
【００２３】
図８に示すように、螺旋外管２０の後端の軸方向逆移動防止弾性片２６は、螺旋推進管４０の逆行移動防止環状溝４５を押し付けながら移動するため、音を発生させる。また、螺旋推進管４０の逆行移動防止環状溝４５により、螺旋外管２０の後端の軸方向逆移動防止弾性片２６を止めて軸方向逆移動防止弾性片２６に位置制限し、これによれば、誤動作で注射操作部材８０が押されて螺旋推進管４０が軸方向に沿って前方へ移動することを防ぐ。すなわち、注射操作部材８０を後方へ引くと、誤動作で前方へ移動することはない。また、その螺旋推進管４０が一周回った時、図９に示すように、螺旋外管２０の軸方向逆移動防止弾性片２６が螺旋推進管４０の溝部４４に入るため、軸方向逆移動防止弾性片２６の制限が解消される。
【００２４】
図１３及び図１４に示すように、注射する時は、針キャップ５を取り外して注射針４を人体における注射予定箇所に刺し込んでから注射操作部材８０を押圧して注射する。この時、その注射操作部材８０の蓋部材８２が前方への押圧力を受けるため、注射操作部材８０を直線的に前方へ移動させると共に、螺旋推進管４０を前方へ移動させ、押し棒８１にある逆回転防止リング７０の逆回転防止弾性片７２を螺旋推進管４０の逆転防止環状歯部４６に当接させることにより、押し棒８１及び螺旋推進管４０の回転方向を制限することから、推進棒体６０は組立部材１０の非円形の案内穴１１により制限されて回転できなくなり、螺旋外管２０の後端の軸方向逆移動防止弾性片２６が螺旋推進管４０の溝部４４に位置すると共に（図９の如く）、案内突起４３が長溝２５に位置することにより、螺旋推進管４０が注射操作部材８０と共に前方へ直線的に推進し、螺旋推進管４０の外周面にあるガイド凸部４２が螺旋内管３０のガイド溝３４に螺合され、螺旋内管３０が順方向に回転する。そして、その螺旋推進管４０が前方へ推進すると、螺旋外管２０の螺旋状溝２３と螺旋推進管４０との構造により後退できなくなる。
【００２５】
螺旋推進管４０の外周面にあるガイド凸部４２が、螺旋内管３０のガイド溝３４において所定の案内距離（すなわち、ガイド溝３４の一周回した距離）移動すると、螺旋内管３０が螺旋推進管４０の推進により順方向に一周回ることから、螺旋内管３０の前端内部の螺合リング５０も一周回るので、螺合リング５０が推進棒体６０に伴って前方へ直線的に所定の予定距離移動し、該推進棒体６０の前端が薬剤瓶３のピストン３Ａを押圧して前方へ移動して所定の薬剤を人体に注射する、尚、本発明に係る注射ペンは、所定の注射量を設定する機能を備える。また、螺旋内管３０のガイド溝３４は、大きな螺旋ピッチを備えると共に、推進棒体６０の推進ネジ山６３１は、小さな螺旋ピッチを備えることから、使用者からの注射操作部材８０を押圧する直線方向の力を回転力に変換すると共に、大きな螺旋ピッチの回転移動により生じた回転推進力を、小さな螺旋ピッチの回転移動により移転推進力に変換して薬剤を射出するので、省力化に優れる。更に、本発明に係る注射ペンは、薬剤瓶３の薬剤を使い切るまで数回繰り返して使用することができる。
【００２６】
その注射ペンに装着した薬剤瓶３の薬剤を使い切ると、注射ペンを廃棄する必要がある。つまり、図１５乃至図１６に示すように、薬剤瓶３の薬剤を使い切るまで注射ペンを使用すると、本発明に係る注射ペンのロック構造の機能が働き、その注射ペンの推進棒体６０は、弾性フック６１２を螺旋内管３０の小径環状部３６により押圧させて径方向に湾曲して推進棒体６０の棒穴６２の内部に押込まれると共に、弾性フック６１２が押し棒８１の係合凹部８１４に係合されることから、注射操作部材８０がロックされて後方へ引くことができなくなり、注射ペンを再利用することができなくなるので、注射ペンの使用上の安全性が向上する。
【符号の説明】
【００２７】
１      回転推進装置
２      薬剤瓶ケース
２Ｃ    固定リング
３      薬剤瓶
４      注射針
５      針キャップ
６      ペンケース
７      ペンキャップ
１０    組立部材
１１    内側板
１２    ワンウェイ環状歯部
２０    螺旋外管
２３    螺旋状溝
２５    長溝
２６    軸方向逆移動防止弾性片
３０    螺旋内管
３３    介在壁
３３１  中管穴
３４    ガイド溝
３５    逆転防止弾性片
３６    小径環状部
４０    螺旋推進管
４２    ガイド凸部
４３    案内突起
４４    溝部
４５    逆行移動防止環状溝
４６    逆転防止環状歯部
５０    螺合リング
５１    ネジ穴
６０    推進棒体
６１    棒体
６１１  貫通溝
６１２  弾性フック
６１３  掛け穴
６２    棒穴
６３    注射量制御段
６３１  推進ネジ山
６５    端部材
７０    逆回転防止リング
７１    環状部
７２    逆回転防止弾性片
８０    注射操作部材
８１    押し棒
８１１  本体
８１４  係合凹部
８２    蓋部材
８２１  蓋基部
８２２  外蓋部
【図１】
0006429161.tif 000002
【図２】
0006429161.tif 000003
【図３】
0006429161.tif 000004
【図４】
0006429161.tif 000005
【図５】
0006429161.tif 000006
【図６】
0006429161.tif 000007
【図７】
0006429161.tif 000008
【図８】
0006429161.tif 000009
【図９】
0006429161.tif 000010
【図１０】
0006429161.tif 000011
【図１１】
0006429161.tif 000012
【図１２】
0006429161.tif 000013
【図１３】
0006429161.tif 000014
【図１４】
0006429161.tif 000015
【図１５】
0006429161.tif 000016
【図１６】
0006429161.tif 000017